(57)【要約】【課題】軽量で、かつ、保管場所を取らず、保温効果にも優れているとともに、使用者が動いてもシャカシャカ音が発生しない防災用毛布を提供する。【解決手段】この発明の防災用毛布２０は、不織布２と不織布４との間に独立気泡を内在したシート素材２３を挟み込むことにより、軽量で、かつ、保管場所もとらない上に、使用者が動いてもシャカシャカ音が発生することなく静かであるため、災害時に避難場所である公民館や体育館など、大勢の人が同じ空間で毛布を使用するような場合にも、シャカシャカ音がうるさくて眠れないという問題もなく、また、シャカシャカ音が発生しないように気を遣ってあまり身動きができないなどといった問題も解決でき、使用者がリラックスして快適に使用することができる。【選択図】図３
2016077508.tif 000002
【特許請求の範囲】
【請求項１】
表面から、少なくとも１枚の不織布、シート素材、少なくとも１枚の不織布、の少なくとも３層で構成されている防災用毛布であって、
前記シート素材は、独立気泡を内在したシート素材であることを特徴とする防災用毛布。
【発明の詳細な説明】
【技術分野】
【０００１】
この発明は、保温効果に優れ、保管場所をとらない防災用毛布に関するものである。
【背景技術】
【０００２】
従来より、災害等の緊急時に備えて、自治体、学校、病院、職場などにおいて、防災用品が備蓄されている。この中でも、必須のアイテムである防災用毛布は、季節に関係なく避難者等の体温を保持するとともに、例えば体育館等の床に直接寝ることを想定して、分厚くて保温効果に優れたものが必要とされている。
【０００３】
しかし、分厚くて保温効果に優れた毛布は、重さも大きさもあるため、広い保管場所を必要とする、という問題があった。そこで、例えば特許文献１に開示されているように、本願出願人は、表面から不織布、不織布、アルミ蒸着シート、不織布、不織布の５層で構成することにより、軽量で、かつ、保管場所を取らず、保温効果にも優れた防災用毛布を考案した。
【先行技術文献】
【特許文献】
【０００４】
【特許文献１】実用新案登録第３１８３４５６号公報
【発明の概要】
【発明が解決しようとする課題】
【０００５】
しかしながら、例えば特許文献１に示すような不織布と不織布との間にアルミ蒸着シートを挟み込んだ防災用毛布の場合には、この毛布の使用者が寝返りを打ったり動いたりするたびにシャカシャカという音が発生してしまう。このため、災害時に避難場所である公民館や体育館など、大勢の人が同じ空間で毛布を使用する際に、そのシャカシャカ音がうるさくて眠れないという課題や、シャカシャカ音が発生しないように気を遣ってあまり身動きができないなど、使用者がリラックスして使用することができないという課題があった。
【０００６】
この発明は、上記のような課題を解決するためになされたものであり、軽量で、かつ、保管場所を取らず、保温効果にも優れているとともに、使用者が動いてもシャカシャカ音が発生しない防災用毛布を提供することを目的とする。
【課題を解決するための手段】
【０００７】
上記目的を達成するため、この発明は、表面から、少なくとも１枚の不織布、シート素材、少なくとも１枚の不織布、の少なくとも３層で構成されている防災用毛布であって、前記シート素材は、独立気泡を内在したシート素材であることを特徴とする。
【発明の効果】
【０００８】
この発明の防災用毛布によれば、不織布と不織布との間に独立気泡を内在したシート素材を挟み込むことにより、軽量で、かつ、保管場所もとらない上に、使用者が動いてもシャカシャカ音が発生することなく静かであるため、災害時に避難場所である公民館や体育館など、大勢の人が同じ空間で毛布を使用するような場合にも、シャカシャカ音がうるさくて眠れないという問題もなく、また、シャカシャカ音が発生しないように気を遣ってあまり身動きができないなどといった問題も解決でき、使用者がリラックスして快適に使用することができる。
【図面の簡単な説明】
【０００９】
【図１】従来の防災用毛布１０の構造の一例を示す概略断面図である。
【図２】従来の防災用毛布１０の内部にアルミ蒸着シート３を挟み込んでいることを示す５層構造の防災用毛布の説明図である。
【図３】この発明の実施の形態における防災用毛布２０の内部に独立気泡を内在したシート素材２３を挟み込んでいることを示す３層構造の防災用毛布の説明図である。
【図４】この発明の実施の形態における防災用毛布２０を折りたたんだ状態を示す斜視図である。
【発明を実施するための形態】
【００１０】
以下、この発明の実施の形態について、図面を参照しながら詳細に説明する。
図１は、従来の防災用毛布１０の構造の一例を示す概略断面図であり、図２は、その従来の防災用毛布１０の内部にアルミ蒸着シート３を挟み込んでいることを示す５層構造の防災用毛布の説明図である。
【００１１】
例えば特許文献１に示すような、災害等の緊急時のために備蓄しておく従来の防災用毛布１０は、図１，図２に示すように、表面から、不織布１、不織布２、アルミ蒸着シート３、不織布４、不織布５の５層で構成されている。
【００１２】
このように、アルミ蒸着シート３のように通気性のないシート素材を不織布２と不織布４の間に挟み込んで縫いつけることにより、保温効果に優れ、かつ、厚みも薄くて軽量である防災用毛布１０を実現することができるものであった。なお、アルミ蒸着シート３に代えて、例えば、ポリエチレンフィルムを用いても、同じ効果を得ることができる。
【００１３】
しかしながら、このようにアルミ蒸着シートやポリエチレンフィルムなどを不織布と不織布との間に挟み込んだ従来の防災用毛布の場合、この毛布の使用者が寝返りを打ったり動いたりするたびにシャカシャカという音が発生するため、災害時に避難場所である公民館や体育館など、大勢の人が同じ空間でこの毛布を使用する際に、そのシャカシャカ音がうるさくて眠れないという問題や、シャカシャカ音が発生しないように気を遣ってあまり身動きができないなど、使用者がリラックスして使用することができないという問題があった。
【００１４】
そこで、本願出願人は、様々なシート素材を不織布と不織布との間に挟み込んでみて、保温性を保持しつつ、シャカシャカ音が発生しないシート素材が存在しないかという実験を繰り返した。その中で、シャカシャカ音が発生するという問題点を解決するために、空気が音を吸収するという特性に着目し、例えばウレタンやスポンジなど、連続気泡型のシート素材を不織布と不織布との間に挟み込むことにより、動いてもシャカシャカ音が発生しないという事実を発見するに至ったが、連続気泡型のシート素材の場合にはそのシート素材が通気性を有するため、不織布と不織布の間に挟み込んだ場合に毛布として期待される高い保温性を保持することができないという問題が残った。
【００１５】
ここで、不織布と不織布との間に挟み込むシート素材として、連続気泡型のシート素材に代えて、独立気泡を内在したシート素材を用いることは、通常では考えられないことである。なぜならば、独立気泡を内在したシート素材は、一般的には運搬時の梱包などの緩衝材としてしか使われないような素材だからである。
【００１６】
しかしながら、本願出願人は、独立気泡を内在したシート素材は、その内部に気泡を含んでいることにより、そのシート素材そのものが保温性を有していることに着目し、通常では考えられないことではあったが、不織布と不織布との間に独立気泡を内在したシート素材を挟み込んでみたところ、動いてもシャカシャカ音が発生せず、かつ、保温性が従来よりさらに高くなる、という優れた効果を奏する防災用毛布を得ることができたのである。
【００１７】
図３は、この発明の実施の形態における防災用毛布２０の内部に独立気泡を内在したシート素材２３を挟み込んでいることを示す３層構造の防災用毛布の説明図である。
この図３に示すように、この防災用毛布２０は、表面から、不織布２、独立気泡を内在したシート素材２３、不織布４の３層で構成されている。
【００１８】
なお、少なくとも１枚の不織布２、独立気泡を内在したシート素材２３、少なくとも１枚の不織布４、の少なくとも３層で構成されていれば、図２に示した従来の防災用毛布１０と同様に５層で構成されていてもよい。すなわち、表面から、不織布１、不織布２、独立気泡を内在したシート素材２３、不織布４、不織布５の５層で構成されていてもよい。
【００１９】
この防災用毛布２０では、独立気泡を内在したシート素材２３を不織布２と不織布４の間に挟み込んでいることにより、従来の防災用毛布の使用者が寝返りを打ったり動いたりするたびに発生していたシャカシャカ音が、シート素材２３の中に存在する気泡の孔に入って消音されるため、すなわち、シート素材２３の中に存在する気泡がシャカシャカ音を吸収して低減させてくれるため、シャカシャカ音が発生することがない。
【００２０】
そして、独立気泡を内在したシート素材２３は、内部には気泡を有しているにもかかわらず、不織布２および不織布４と接触する部分である、そのシート素材２３の表面は通気性がないため、独立気泡を内在したシート素材２３と不織布２，４との間に空気層ができることによって、アルミ蒸着シートやポリエチレンフィルムのような通気性のないシート素材を不織布２と不織布４との間に挟み込んだ場合と同様に、保温性を高めることができるという効果がある。
【００２１】
さらに、独立気泡を内在したシート素材２３に含まれている気泡の孔がその保温性を高めてくれるという効果があり、より保温効果に優れた防災用毛布２０を実現することができる。
【００２２】
すなわち、独立気泡を内在したシート素材は、内部には気泡を含んでいるものの、シート自体は通気性のない素材なので、アルミ蒸着シートやポリエチレンフィルムなどの通気性のないシート素材を挟み込んだ場合の防災用毛布と同等の保温性を保持することができるとともに、シート素材に含まれている気泡の孔がさらにその保温性を高めてくれるという効果があり、より保温効果に優れた防災用毛布２０を実現することができるのである。
【００２３】
また、このように独立気泡を内在したシート素材２３を不織布２と不織布４の間に挟み込んだ防災用毛布２０を折りたたんだ場合には、図４に示すようにコンパクトな状態となるため、必要な備蓄スペースも従来より以前の一般的な防災用毛布の４分の１程度になり、保管場所も取らないので、大量に備蓄するのにも最適なものである。
【００２４】
図４は、この発明の実施の形態における防災用毛布２０を折りたたんだ状態を示す斜視図である。
また、この防災用毛布２０の重量は、従来より以前の一般的な防災用毛布の重量の半分以下であるため、軽量で持ち運ぶのも楽であり、避難者等に配布するための作業も容易である。
【００２５】
また、この発明の実施の形態における防災用毛布２０は、不織布１，２，４，５および独立気泡を内在したシート素材２３、または、不織布２，４および独立気泡を内在したシート素材２３のみで構成できるため、あまりコストがかからないというメリットもある。
【００２６】
そして、使用者にとっては、自分の肌に触れる部分は不織布という柔らかくて肌にもやさしい安心できる素材である上に、軽くて保温性もより優れたものであり、さらに、動いてもシャカシャカという音もせずに静かな毛布であるため、災害時に避難場所である公民館や体育館など、大勢の人が同じ空間で毛布を使用する際にも、安心してリラックスでき、快適に使用することができる。
【００２７】
以上のように、この発明の実施の形態における防災用毛布によれば、不織布と不織布との間に独立気泡を内在したシート素材を挟み込むことにより、軽量で、かつ、保管場所もとらない上に、使用者が動いてもシャカシャカ音が発生することなく静かであるため、災害時に避難場所である公民館や体育館など、大勢の人が同じ空間で毛布を使用するような場合にも、シャカシャカ音がうるさくて眠れないという問題もなく、また、シャカシャカ音が発生しないように気を遣ってあまり身動きができないなどといった問題も解決でき、使用者がリラックスして快適に使用することができる。
【００２８】
また、その独立気泡を内在したシート素材によって、保温性をより高めることができ、より保温効果に優れた防災用毛布を実現することができるので、寒い季節の災害時に公民館や体育館などの広い空間に避難する場合であっても、使用者にとってより温かい快適な毛布を提供することができる。
【００２９】
なお、本願発明はその発明の範囲内において、実施の形態の任意の構成要素の変形、もしくは実施の形態の任意の構成要素の省略が可能である。
【符号の説明】
【００３０】
１，２，４，５  不織布
３  アルミ蒸着シート
１０  従来の防災用毛布
２０  この発明の防災用毛布
２３  独立気泡を内在したシート素材
【図１】
2016077508.tif 000003
【図４】
2016077508.tif 000004
【図２】
2016077508.tif 000005
【図３】
2016077508.tif 000006